(57)【要約】【課題】本発明は、地震時における木質梁の梁端部の破壊を抑制することを目的とする。【解決手段】柱梁接合構造１０は、鋼製仕口部材３０を有する柱２０と、梁端部５０Ｅに鋼製ブラケット６０が接合された木質梁５０と、鋼製仕口部材３０と鋼製ブラケット６０とを離間可能に圧着接合する接合部材８０と、を備える。【選択図】図１
2020133356.tif 000002
【特許請求の範囲】
【請求項１】
鋼製仕口部を有する柱と、
梁端部に鋼製ブラケットが接合された木質梁と、
前記鋼製仕口部と前記鋼製ブラケットとを離間可能に圧着接合する接合部材と、
を備える柱梁接合構造。
【請求項２】
前記接合部材は、
前記鋼製仕口部及び前記鋼製ブラケットの一方から他方へ延出する延出部材と、
前記延出部材に設けられ、該延出部材に反力をとって前記鋼製仕口部及び前記鋼製ブラケットの他方を一方側へ付勢し、前記鋼製仕口部と前記鋼製ブラケットとを圧着させる弾性体と、
を有する、
請求項１に記載の柱梁接合構造。
【請求項３】
前記接合部材は、緊張された状態で、前記鋼製仕口部と前記鋼製ブラケットとを圧着させる緊張材を有する、
請求項１に記載の柱梁接合構造。
【請求項４】
前記鋼製仕口部と前記鋼製ブラケットとの固定度は、前記鋼製ブラケットと前記木質梁との固定度よりも低い、
請求項１〜請求項３の何れか１項に記載の柱梁接合構造。
【発明の詳細な説明】
【技術分野】
【０００１】
本発明は、柱梁接合構造に関する。
【背景技術】
【０００２】
木質柱と木質梁との接合構造が知られている（例えば、特許文献１，２参照）。
【先行技術文献】
【特許文献】
【０００３】
【特許文献１】特開２０１６−１９１２７４号公報
【特許文献２】特開２０１７−０２０２１１号公報
【発明の概要】
【発明が解決しようとする課題】
【０００４】
ところで、鋼製のドリフトピンによって、木質梁の梁端部を柱に接合する場合がある。
【０００５】
しかしながら、ドリフトピンは、一般に、木質梁を構成する木材よりも強度が高い。そのため、地震時に、木質柱と木質梁との接合部に曲げモーメントが作用すると、ドリフトピンによって木質梁の梁端部が破壊される可能性がある。
【０００６】
本発明は、上記の事実を考慮し、地震時における木質梁の梁端部の破壊を抑制することを目的とする。
【課題を解決するための手段】
【０００７】
請求項１に記載の柱梁接合構造は、鋼製仕口部を有する柱と、梁端部に鋼製ブラケットが接合された木質梁と、前記鋼製仕口部と前記鋼製ブラケットとを離間可能に圧着接合する接合部材と、を備える。
【０００８】
請求項１に係る柱梁接合構造によれば、木質梁の梁端部には、鋼製ブラケットが接合される。この鋼製ブラケットは、接合部材によって、柱の鋼製仕口部と離間可能に圧着接合される。
【０００９】
これにより、地震時に、木質梁の梁端部に曲げモーメントが作用した場合に、鋼製仕口部から鋼製ブラケットが離間し、鋼製仕口部に対して鋼製ブラケットが回転する。この結果、木質梁の梁端部と鋼製ブラケットとの接合部に作用する曲げモーメントが低減される。したがって、木質梁の梁端部の破壊が抑制される。
【００１０】
請求項２に記載の柱梁接合構造は、請求項１に記載の柱梁接合構造において、前記接合部材は、前記鋼製仕口部及び前記鋼製ブラケットの一方から他方へ延出する延出部材と、前記延出部材に設けられ、該延出部材に反力をとって前記鋼製仕口部及び前記鋼製ブラケットの他方を一方側へ付勢し、前記鋼製仕口部と前記鋼製ブラケットとを圧着させる弾性体と、を有する。
【００１１】
請求項２に係る柱梁接合構造によれば、接合部材は、延出部材と、弾性体とを有する。延出部材は、柱の鋼製仕口部及び鋼製ブラケットの一方から他方へ延出する延出部材をする。この延出部材に、弾性体が設けられる。
【００１２】
弾性体は、延出部材に反力をとって、柱の鋼製仕口部及び鋼製ブラケットの他方を一方側へ付勢し、鋼製仕口部と鋼製ブラケットとを圧着させる。これにより、柱の鋼製仕口部と木質梁の鋼製ブラケットとが圧着接合される。
【００１３】
また、地震時に、木質梁の梁端部に曲げモーメントが作用すると、弾性体が弾性変形する。これにより、鋼製仕口部から鋼製ブラケットが離間し、鋼製仕口部に対して鋼製ブラケットが回転する。この結果、木質梁の梁端部と鋼製ブラケットとの接合部に作用する曲げモーメントが低減される。したがって、木質梁の梁端部の破壊が抑制される。
【００１４】
また、本発明では、弾性体の圧縮量によって、鋼製仕口部と鋼製ブラケットとの圧着力を容易に調整することができる。
【００１５】
請求項３に記載の柱梁接合構造は、請求項１に記載の柱梁接合構造において、前記接合部材は、緊張された状態で、前記鋼製仕口部と前記鋼製ブラケットとを圧着させる緊張材を有する。
【００１６】
請求項３に係る柱梁接合構造によれば、接合部材は、緊張力が付与される緊張材を有する。この緊張材によって、柱の鋼製仕口部と鋼製ブラケットとが離間可能に圧着接合される。
【００１７】
また、地震時に、木質梁の梁端部に曲げモーメントが作用すると、緊張材が弾性変形する。これにより、鋼製仕口部から鋼製ブラケットが離間し、鋼製仕口部に対して鋼製ブラケットが回転する。この結果、木質梁の梁端部と鋼製ブラケットとの接合部に作用する曲げモーメントが低減される。したがって、木質梁の梁端部の破壊が抑制される。
【００１８】
また、本発明では、緊張材に付与する緊張力を増減することにより、鋼製仕口部と鋼製ブラケットとの圧着力を容易に調整することができる。
【００１９】
請求項４に記載の柱梁接合構造は、請求項１〜請求項３の何れか１項に記載の柱梁接合構造において、前記鋼製仕口部と前記鋼製ブラケットとの固定度は、前記鋼製ブラケットと前記木質梁との固定度よりも低い。
【００２０】
請求項４に係る柱梁接合構造によれば、柱の鋼製仕口部と鋼製ブラケットとの固定度は、鋼製ブラケットと木質梁との固定度よりも低い。これにより、地震時に、木質梁の梁端部に曲げモーメントが作用した場合に、先ず、鋼製仕口部から鋼製ブラケットが離間し、鋼製仕口部に対して鋼製ブラケットが回転する。この結果、木質梁の梁端部と鋼製ブラケットとの接合部に作用する曲げモーメントが低減される。したがって、木質梁の梁端部の破壊が抑制される。
【発明の効果】
【００２１】
以上説明したように、本発明に係る柱梁接合構造によれば、地震時における木質梁の梁端部の破壊を抑制することができる。
【図面の簡単な説明】
【００２２】
【図１】第一実施形態に係る柱梁接合構造が適用された柱及び木質梁を示す縦断面図である。
【図２】図１の２−２線断面図である。
【図３】図１に示される柱梁接合構造の施工過程を示す立面図である。
【図４】図１に示される柱梁接合構造の施工過程を示す立面図である。
【図５】図１に示される柱梁接合構造の施工過程を示す立面図である。
【図６】図１に示される柱梁接合構造の施工過程を示す立面図である。
【図７】鋼製仕口部材に対して鋼製ブラケットが回転した状態を模式的に示す図１に対応した縦断面図である。
【図８】第二実施形態に係る柱梁接合構造が適用された柱及び木質梁を示す縦断面図である。
【図９】第一実施形態に係る木質梁と鋼製ブラケットとの接合構造の変形例を示す平断面図である。
【発明を実施するための形態】
【００２３】
先ず、第一実施形態について説明する。
【００２４】
（柱）
図１には、第一実施形態に係る柱梁接合構造１０が適用された柱２０及び木質梁５０が示されている。柱２０は、下側柱部材２２と、上側柱部材２４と、下側柱部材２２と上側柱部材２４との間に介在する鋼製仕口部材３０とを有している。
【００２５】
下側柱部材２２及び上側柱部材２４は、例えば、平面視にて、外形が同じ断面矩形状に形成されている。これらの下側柱部材２２及び上側柱部材２４は、例えば、無垢材や、集成材等によって形成されている。つまり、下側柱部材２２及び上側柱部材２４は、木質柱（木造）とされている。
【００２６】
なお、下側柱部材２２及び上側柱部材２４は、無耐火構造であっても良いし、耐火構造や準耐火構造であっても良い。
【００２７】
（鋼製仕口部材）
図１及び図２に示されるように、鋼製仕口部材３０は、木質梁５０が接合される柱２０の仕口部（柱梁仕口部）を構成している。この鋼製仕口部材３０は、仕口部本体３２と、下側ガセットプレート４０と、上側ガセットプレート４４と、柱側圧着ベース４８とを有している。なお、鋼製仕口部材３０は、鋼製仕口部の一例である。
【００２８】
仕口部本体３２は、平面視にて、外形が下側柱部材２２及び上側柱部材２４と同じブロック状に形成されている。この仕口部本体３２は、下側ベースプレート３４と、上側ベースプレート３６と、連結体３８とを有している。
【００２９】
下側ベースプレート３４及び上側ベースプレート３６は、矩形状に形成されるとともに、上下方向に対向して配置されている。下側ベースプレート３４は、下側柱部材２２の上面に重ねられ、上側ベースプレート３６は、上側柱部材２４の下面に重ねられている。これらの下側ベースプレート３４と上側ベースプレート３６とは、連結体３８によって連結されている。
【００３０】
連結体３８は、断面十字状に形成されている。この連結体３８の下端部には、下側ベースプレート３４が溶接等によって接合されている。また、連結体３８の上端部には、上側ベースプレート３６が溶接等によって接合されている。
【００３１】
仕口部本体３２は、下側ガセットプレート４０を介して下側柱部材２２に接合されている。具体的には、下側ガセットプレート４０は、板状に形成されており、下側ベースプレート３４に設けられている。この下側ガセットプレート４０は、下側ベースプレート３４の下面から下方へ延出し、下側柱部材２２の上面に形成されたスリット状の溝部に挿入されている。この下側ガセットプレート４０と下側柱部材２２とは、ドリフトピン等の接合金物４２によって接合されている。
【００３２】
また、仕口部本体３２は、上側ガセットプレート４４を介して上側柱部材２４に接合されている。具体的には、上側ガセットプレート４４は、板状に形成されており、上側ベースプレート３６に設けられている。この上側ガセットプレート４４は、上側ベースプレート３６の上面から上方へ延出し、上側柱部材２４の下面に形成されたスリット状の溝部に挿入されている。この上側ガセットプレート４４と上側柱部材２４とは、ドリフトピン等の接合金物４６によって接合されている。
【００３３】
仕口部本体３２の側面には、柱側圧着ベース４８が設けられている。柱側圧着ベース（柱側圧着ベースプレート）４８は、板状に形成されており、仕口部本体３２の側面に沿って配置されている。この柱側圧着ベース４８は、下側ベースプレート３４と上側ベースプレート３６とに亘って配置されており、これらの下側ベースプレート３４及び上側ベースプレート３６に溶接等によって接合されている。この柱側圧着ベース４８には、木質梁５０が接合されている。
【００３４】
（木質梁）
木質梁５０は、例えば、無垢材や、集成材等によって形成されている。この木質梁５０は、図３に示されるように、一対の柱２０に架設されている。なお、木質梁５０は、無耐火構造であっても良いし、耐火構造や準耐火構造であっても良い。
【００３５】
（鋼製ブラケット）
図１及び図２に示されるように、木質梁５０の梁端部５０Ｅには、鋼製ブラケット６０が設けられている。鋼製ブラケット６０は、ブラケット本体６２と、ガセットプレート７２と、梁側圧着ベース７８とを有している。ブラケット本体６２は、下側フランジ６４、上側フランジ６６、ウェブ６８、及びベースプレート７０を有している。
【００３６】
下側フランジ６４と上側フランジ６６とは、上下方向に対向して配置されている。この下側フランジ６４と上側フランジ６６とは、ウェブ６８を介して接合されている。これらの下側フランジ６４、上側フランジ６６、ウェブ６８は、断面Ｈ字状を成している。ベースプレート７０は、ブラケット本体６２の木質梁５０側の端部に設けられている。このベースプレート７０は、木質梁５０の端面に重ねられている。
【００３７】
ブラケット本体６２は、ガセットプレート７２を介して木質梁５０に接合されている。具体的には、ガセットプレート７２は、板状に形成されており、ベースプレート７０に設けられている。このガセットプレート７２は、ベースプレート７０から延出し、木質梁５０の端面に形成された溝部７４（スリット）に挿入されている。このガセットプレート７２と木質梁５０とは、ドリフトピン等の接合金物７６によって接合されている。
【００３８】
ブラケット本体６２の柱２０側の端面には、梁側圧着ベース７８が設けられている。梁側圧着ベース（梁側圧着ベースプレート）７８は、板状に形成されており、ブラケット本体６２における柱２０側の端面に沿って配置されており、下側フランジ６４、上側フランジ６６、及びウェブ６８に溶接等によって接合されている。
【００３９】
梁側圧着ベース７８の外面（圧着面）７８Ａは、鋼製仕口部材３０の柱側圧着ベース４８の外面（圧着面）４８Ａに重ねられている。この梁側圧着ベース７８と柱側圧着ベース４８とは、複数（本実施形態では４つ）の接合部材８０によって離間可能に圧着接合されている。
【００４０】
（接合部材）
接合部材８０は、鋼製ブラケット６０のウェブ６８の両側に、上下方向に間隔を空けて配置されている。各接合部材８０は、通しボルト８２と、弾性体９０とを有している。通しボルト８２の両端部には、ネジ部（雄ネジ部）が形成されている。なお、通しボルト８２は、延出部材の一例である。
【００４１】
通しボルト８２は、鋼製ブラケット６０と、鋼製仕口部材３０とに亘って配置されている。具体的には、通しボルト８２は、柱側圧着ベース４８及び梁側圧着ベース７８にそれぞれ形成された貫通孔４９，７９にスライド可能に挿入されている。また、通しボルト８２の一端部８２Ｅ１は、鋼製仕口部材３０の連結体３８に形成された貫通孔３９に挿入されている。この通しボルト８２の一端部８２Ｅ１には、貫通孔３９の周縁部に係合されるナット８４が取り付けられている。
【００４２】
通しボルト８２の他端部８２Ｅ２は、柱側圧着ベース４８から梁側圧着ベース７８の貫通孔７９を介して鋼製ブラケット６０の内部へ延出している。この通しボルト８２の他端部８２Ｅ２には、座金８６を介してナット８８が取り付けられている。
【００４３】
通しボルト８２の他端部８２Ｅ２側には、弾性体９０が取り付けられている。弾性体９０は、例えば、コイルスプリングとされている。また、弾性体９０は、座金８６と梁側圧着ベース７８との間に、圧縮された状態で配置されている。この弾性体９０の付勢力（復元力）によって、梁側圧着ベース７８の外面７８Ａが柱側圧着ベース４８の外面４８Ａに圧着接合されている。換言すると、弾性体９０は、通しボルト８２の他端部８２Ｅ２側に反力をとって、梁側圧着ベース７８の外面７８Ａを柱側圧着ベース４８の外面４８Ａに圧着させている。
【００４４】
なお、座金８６は、通しボルト８２の他端部８２Ｅ２に設けられ、弾性体９０を受ける受け部の一例である。
【００４５】
ここで、本実施形態では、鋼製仕口部材３０（柱側圧着ベース４８）に対する鋼製ブラケット６０（梁側圧着ベース７８）の固定度が、木質梁５０の梁端部５０Ｅに対する鋼製ブラケット６０（ベースプレート７０）の固定度よりも低く設定されている。これにより、例えば、地震時に、木質梁５０に曲げモーメントが作用した場合に、木質梁５０の梁端部５０Ｅに対して鋼製ブラケット６０が回転する前に、鋼製仕口部材３０に対して鋼製ブラケット６０が回転される。
【００４６】
さらに、本実施形態では、鋼製仕口部材３０に対する鋼製ブラケット６０の固定度が、下側柱部材２２及び上側柱部材２４に対する鋼製仕口部材３０（下側ベースプレート３４、上側ベースプレート３６）の固定度よりも低く設定されている。これにより、例えば、地震時に、木質梁５０に曲げモーメントが作用した場合に、下側柱部材２２及び上側柱部材２４に対して鋼製ブラケット６０が回転する前に、鋼製仕口部材３０に対して鋼製ブラケット６０が回転される。
【００４７】
なお、鋼製仕口部材３０に対する鋼製ブラケット６０の固定度は、例えば、接合部材８０の数や、弾性体９０のばね定数、弾性体９０の圧縮量によって調整される。また、弾性体９０の圧縮量は、通しボルト８２に対するナット８４，８８の締め込み量によって調整される。また、固定度とは、２つの部材の接合部（接点）の拘束の度合いを意味し、例えば、接合部がピン接合の場合はゼロとなる。
【００４８】
（せん断力伝達部材）
鋼製仕口部材３０と鋼製ブラケット６０とは、せん断力伝達部材１００を介して連結されている。せん断力伝達部材１００は、鋼製ブラケット６０のウェブ６８の両側に配置されている。各せん断力伝達部材１００は、せん断ボルト１０２及びナット１０８を有している。
【００４９】
せん断ボルト１０２は、柱側圧着ベース４８及び梁側圧着ベース７８にそれぞれ形成された貫通孔１０４，１０６に、木質梁５０側からスライド可能に挿入されている。一方、ナット１０８は、柱側圧着ベース４８の内面に溶接等によって接合されている。このナット１０８にせん断ボルト１０２をねじ込むことにより、せん断ボルト１０２が柱側圧着ベース４８に固定されている。
【００５０】
せん断ボルト１０２は、柱側圧着ベース４８から延出し、梁側圧着ベース７８の貫通孔１０６にスライド可能に挿入されている。そして、地震時に、せん断ボルト１０２が梁側圧着ベース７８の貫通孔１０６の内周面に係合することにより、鋼製仕口部材３０と鋼製ブラケット６０との間でせん断力が伝達される。
【００５１】
なお、本実施形態では、ナット１０８が柱側圧着ベース４８の内面に接合されている。しかしながら、ナットは、梁側圧着ベース７８の内面に接合されても良い。この場合、せん断ボルトは、柱側圧着ベース４８及び梁側圧着ベース７８にそれぞれ形成された貫通孔１０４，１０６に、柱２０側からスライド可能に挿入され、ナットにねじ込まれる。
【００５２】
（施工方法）
次に、第一実施形態に係る柱梁接合構造の施工方法の一例について説明する。
【００５３】
図３には、一対の架台１２上に配置された木質梁５０が示されている。この状態から、図４に示されるように、ドリフトピン等の接合金物７６によって、木質梁５０の両側の梁端部５０Ｅに鋼製ブラケット６０をそれぞれ接合する。
【００５４】
次に、図４及び図５に示されるように、複数の接合部材８０によって、鋼製ブラケット６０に鋼製仕口部材３０を圧着接合する。また、鋼製ブラケット６０と鋼製仕口部材３０との接合部に、せん断力伝達部材１００を取り付ける。
【００５５】
次に、図６に示されるように、揚重機（図示省略）によって木質梁５０を吊り上げ、一対の下側柱部材２２の上に載置する。そして、鋼製仕口部材３０の下側ガセットプレート４０を下側柱部材２２の上面に形成された溝部に挿入し、ドリフトピン等の接合金物４２（図１参照）によって下側ガセットプレート４０と下側柱部材２２の上端部とを接合する。
【００５６】
次に、鋼製仕口部材３０の上に上側柱部材２４を載置し、鋼製仕口部材３０の上側ガセットプレート４４を上側柱部材２４の下面に形成された溝部に挿入し、ドリフトピン等の接合金物４６によって、上側ガセットプレート４４を上側柱部材２４の下端部に接合する。これにより、柱２０が施工されるとともに、柱２０の鋼製仕口部材３０に木質梁５０の梁端部５０Ｅが鋼製ブラケット６０を介して圧着接合される。
【００５７】
なお、柱梁接合構造１０の施工方法は、上記に限らず、適宜変更可能である。例えば、下側柱部材２２及び上側柱部材２４に鋼製仕口部材３０を接合した後に、鋼製仕口部材３０に鋼製ブラケット６０を接合しても良い。
【００５８】
（作用）
次に、第一実施形態の作用について説明する。
【００５９】
図１及び図２に示されるように、本実施形態に係る柱梁接合構造１０によれば、木質梁５０の梁端部５０Ｅには、鋼製ブラケット６０が接合されている。この鋼製ブラケット６０は、複数の接合部材８０によって、柱２０の鋼製仕口部材３０に離間可能に圧着接合されている。
【００６０】
具体的には、接合部材８０は、通しボルト８２と、弾性体９０とを有している。通しボルト８２の一端部８２Ｅ１は、鋼製仕口部材３０に連結されている。また、通しボルト８２の他端部８２Ｅ２側は、鋼製仕口部材３０から鋼製ブラケット６０の内部へ延出している。この通しボルト８２の他端部８２Ｅ２側に、弾性体９０が設けられている。
【００６１】
弾性体９０は、通しボルト８２の他端部８２Ｅ２に取り付けられた座金８６と梁側圧着ベース７８との間に、圧縮された状態で配置されている。この弾性体９０は、通しボルト８２の他端部８２Ｅ２側に反力をとって、梁側圧着ベース７８を柱側圧着ベース４８側へ付勢し、梁側圧着ベース７８の外面７８Ａを柱側圧着ベース４８の外面４８Ａに圧着させる。これにより、柱２０の鋼製仕口部材３０と木質梁５０の鋼製ブラケット６０とが圧着接合される。
【００６２】
また、本実施形態では、鋼製仕口部材３０に対する鋼製ブラケット６０の固定度が、木質梁５０の梁端部５０Ｅに対する鋼製ブラケット６０の固定度よりも低く設定されている。また、鋼製仕口部材３０に対する鋼製ブラケット６０の固定度が、下側柱部材２２及び上側柱部材２４に対する鋼製仕口部材３０の固定度よりも低く設定されている。
【００６３】
これにより、例えば、図７に示されるように、地震時に、木質梁５０の梁端部５０Ｅに曲げモーメントＭが作用した場合に、先ず、接合部材８０の弾性体９０が圧縮（弾性変形）し、鋼製仕口部材３０に対して鋼製ブラケット６０が回転する。より具体的には、梁側圧着ベース７８がその下端部を支点として柱側圧着ベース４８から離間し、柱側圧着ベース４８の上端と梁側圧着ベース７８の上端との間に隙間Ｇが形成される。
【００６４】
この結果、木質梁５０の梁端部５０Ｅと鋼製ブラケット６０との接合部に作用する曲げモーメントＭが低減されるとともに、下側柱部材２２及び上側柱部材２４と鋼製仕口部材３０との接合部に作用する曲げモーメントが低減される。したがって、ドリフトピン等の接合金物７６によって、木質梁５０の梁端部５０Ｅが破壊されることが抑制される。また、ドリフトピン等の接合金物４２，４６によって、下側柱部材２２の上端部、及び上側柱部材２４の下端部が破壊されることが抑制される。
【００６５】
また、鋼製仕口部材３０の柱側圧着ベース４８と鋼製ブラケット６０の梁側圧着ベース７８とは、せん断力伝達部材１００を介して連結されている。具体的には、せん断力伝達部材１００は、せん断ボルト１０２を有している。せん断ボルト１０２は、柱側圧着ベース４８から延出し、梁側圧着ベース７８の貫通孔１０６に挿入されている。このせん断ボルト１０２が貫通孔１０６の内周面と係合することにより、柱側圧着ベース４８と梁側圧着ベース７８との間でせん断力が伝達される。
【００６６】
また、せん断ボルト１０２は、梁側圧着ベース７８の貫通孔１０６にスライド可能に挿入されている。これにより、地震時に、柱側圧着ベース４８から梁側圧着ベース７８が離間した場合に、せん断ボルト１０２に沿って梁側圧着ベース７８がスライドする。したがって、地震時に、柱側圧着ベース４８から梁側圧着ベース７８を離間させることができる。
【００６７】
また、本実施形態では、弾性体９０の圧縮量によって、鋼製仕口部材３０と鋼製ブラケット６０との圧着力を容易に調整することができる。
【００６８】
（第一実施形態の変形例）
次に、上記第一実施形態の変形例について説明する。
【００６９】
上記第一実施形態では、鋼製ブラケット６０側に弾性体９０が配置されている。しかしながら、弾性体は、鋼製仕口部材３０側に配置されても良い。この場合、延出部材は、鋼製ブラケット６０に設けられ、当該鋼製ブラケット６０から鋼製仕口部材３０へ延出される。そして、弾性体は、鋼製仕口部材３０に延出された延出部材に反力をとって鋼製仕口部材３０を鋼製ブラケット６０側へ付勢し、鋼製仕口部材３０と鋼製ブラケット６０とを圧着接合する。これにより、上記第一実施形態と同様の効果を得ることができる。
【００７０】
つまり、延出部材は、鋼製仕口部材３０及び鋼製ブラケット６０の一方から鋼製仕口部材３０及び鋼製ブラケット６０の他方へ延出されていれば良い。この場合、弾性体は、延出部材に設けられ、延出部材に反力をとって鋼製仕口部材３０及び鋼製ブラケット６０の他方を鋼製仕口部材３０及び鋼製ブラケット６０の一方側へ付勢し、鋼製仕口部材３０と鋼製ブラケット６０とを圧着される。
【００７１】
また、上記第一実施形態では、弾性体９０がコイルスプリングとされている。しかしながら、弾性体は、コイルスプリングに限らず、例えば、皿ばね等であっても良い。
【００７２】
（第二実施形態）
次に、第二実施形態について説明する。なお、第二実施形態において、第一実施形態と同様の部材等には、同符号を付して説明を適宜省略する。
【００７３】
図８には、第二実施形態に係る柱梁接合構造１２０が適用された柱２０及び木質梁５０が示されている。この柱２０の鋼製仕口部材３０と木質梁５０の鋼製ブラケット６０とは、緊張材１２２によって離間可能に圧着接合されている。なお、緊張材１２２は、接合部材の一例である。
【００７４】
具体的には、緊張材１２２は、ＰＣ鋼棒や、ＰＣ鋼線等のＰＣ鋼材（緊張線材）によって形成されている。この緊張材１２２は、柱側圧着ベース４８及び梁側圧着ベース７８に形成された貫通孔４９，７９にスライド可能に挿入されている。また、緊張材１２２の一端部１２２Ｅ１は、鋼製仕口部材３０の連結体３８に形成された貫通孔３９に挿入されている。この緊張材１２２の一端部１２２Ｅ１には、貫通孔３９の周縁部に係合されるナット１２４が取り付けられている。
【００７５】
緊張材１２２の他端部１２２Ｅ２は、柱側圧着ベース４８から梁側圧着ベース７８の貫通孔７９を介して鋼製ブラケット６０の内部へ延出している。この緊張材１２２の他端部１２２Ｅ２には、梁側圧着ベース７８の内面に係合されるナット１２６が取り付けられている。
【００７６】
緊張材１２２には、緊張力が付与されている。つまり、緊張材１２２は、緊張された状態で、柱側圧着ベース４８と梁側圧着ベース７８とを接合している。これにより、柱側圧着ベース４８の外面４８Ａと梁側圧着ベース７８の外面７８Ａとが圧着接合されている。
【００７７】
ここで、本実施形態では、上記第一実施形態と同様に、鋼製仕口部材３０に対する鋼製ブラケット６０の固定度が、木質梁５０の梁端部５０Ｅに対する鋼製ブラケット６０の固定度よりも低く設定されている。さらに、鋼製仕口部材３０に対する鋼製ブラケット６０の固定度が、下側柱部材２２及び上側柱部材２４に対する鋼製仕口部材３０の固定度よりも低く設定されている。
【００７８】
なお、柱側圧着ベース４８に対する梁側圧着ベース７８の固定度は、例えば、緊張材１２２に付与する緊張力や、緊張材１２２の剛性や本数等によって調整される。
【００７９】
（作用）
次に、第二実施形態の作用について説明する。
【００８０】
図８に示されるように、本実施形態に係る柱梁接合構造１２０によれば、木質梁５０の梁端部５０Ｅには、鋼製ブラケット６０が接合されている。鋼製ブラケット６０は、緊張力が付与された複数の緊張材１２２によって、柱２０の鋼製仕口部材３０と接合されている。これにより、柱２０の鋼製仕口部材３０と木質梁５０の鋼製ブラケット６０とが離間可能に圧着接合されている。
【００８１】
また、本実施形態では、鋼製仕口部材３０に対する鋼製ブラケット６０の固定度が、木質梁５０の梁端部５０Ｅに対する鋼製ブラケット６０の固定度よりも低く設定されている。また、鋼製仕口部材３０に対する鋼製ブラケット６０の固定度が、下側柱部材２２及び上側柱部材２４に対する鋼製仕口部材３０の固定度よりも低く設定されている。
【００８２】
これにより、地震時に、木質梁５０の梁端部５０Ｅに曲げモーメントＭが作用すると、先ず、緊張材１２２が軸方向に伸長（弾性変形）する。これにより、鋼製仕口部材３０に対して鋼製ブラケット６０が回転する。より具体的には、鋼製ブラケット６０の梁側圧着ベース７８がその下端部を支点として鋼製仕口部材３０の柱側圧着ベース４８から離間し、柱側圧着ベース４８の上端と梁側圧着ベース７８の上端との間に隙間が形成される。
【００８３】
この結果、木質梁５０の梁端部５０Ｅと鋼製ブラケット６０との接合部に作用する曲げモーメントＭが低減されるとともに、下側柱部材２２及び上側柱部材２４と鋼製仕口部材３０との接合部に作用する曲げモーメントが低減される。したがって、ドリフトピン等の接合金物７６によって、木質梁５０の梁端部５０Ｅが破壊されることが抑制される。また、ドリフトピン等の接合金物４２，４６によって、下側柱部材２２の上端部、及び上側柱部材２４の下端部が破壊されることが抑制される。
【００８４】
また、本実施形態では、緊張材１２２に付与する緊張力を増減することにより、鋼製仕口部材３０と鋼製ブラケット６０との圧着力を容易に調整することができる。
【００８５】
さらに、本実施形態では、上記第一実施形態と比較して、柱梁接合構造１２０が単純化される。したがって、施工性が向上する。
【００８６】
（変形例）
次に、上記第一実施形態及び第二実施形態の変形例について説明する。なお、以下では、上記第一実施形態を例に各種の変形例について説明するが、これらの変形例は、上記第二実施形態にも適宜適用可能である。
【００８７】
上記第一実施形態では、木質梁５０の梁端部５０Ｅと鋼製ブラケット６０とが、ドリフトピン等の接合金物７６によって接合されている。しかしながら、木質梁５０の梁端部５０Ｅと鋼製ブラケット６０との接合構造は、適宜変更可能であり、例えば、図９に示されるように、鋼製ブラケット６０と木質梁５０の梁端部５０Ｅとを緊張材１３０によって圧着接合しても良い。
【００８８】
具体的には、木質梁５０の内部には、複数のシース管１３２が埋設されている。複数のシース管１３２は、木質梁５０の材軸方向の全長に亘って埋設されている。各シース管１３２には、緊張材１３０が挿入されている。
【００８９】
緊張材１３０は、ＰＣ鋼棒や、ＰＣ鋼線等のＰＣ鋼材（緊張線材）によって形成されている。この緊張材１３０の両端部は、鋼製ブラケット６０のベースプレート７０に形成された貫通孔７１に挿入されている。また、緊張材１３０の両端部には、ナット１３４がそれぞれ取り付けられている。このナット１３４を緊張材１３０に締め込むことにより、緊張材１３０に緊張力を付与される。この結果、木質梁５０の両側の端面に、鋼製ブラケット６０のベースプレート７０がそれぞれ圧着接合される。
【００９０】
このように緊張材１３０によって木質梁５０の端面に鋼製ブラケット６０を圧着接合することにより、梁端部５０Ｅに対する鋼製ブラケット６０の固定度を容易に高めることができる。
【００９１】
また、上記第一実施形態では、鋼製仕口部材３０と鋼製ブラケット６０との接合部にせん断力伝達部材１００が設けられている。しかしながら、せん断力伝達部材１００は、適宜省略可能である。
【００９２】
また、上記第一実施形態では、鋼製仕口部材３０と鋼製ブラケット６０との固定度が、鋼製仕口部材３０と下側柱部材２２及び上側柱部材２４との固定度よりも低く設定されている。しかしながら、鋼製仕口部材３０と鋼製ブラケット６０との固定度は、鋼製仕口部材３０と下側柱部材２２及び上側柱部材２４との固定度と同じに設定しても良いし、当該固定度よりも高く設定しても良い。
【００９３】
また、上記第一実施形態では、鋼製仕口部材３０と鋼製ブラケット６０との固定度が、鋼製ブラケット６０と木質梁５０の梁端部５０Ｅの固定度よりも低く設定されている。しかしながら、地震時に、鋼製仕口部材３０と鋼製ブラケット６０との接合部に作用する曲げモーメントは、一般に、鋼製ブラケット６０と木質梁５０の梁端部５０Ｅとの接合部に作用する曲げモーメントよりも大きくなる。したがって、鋼製仕口部材３０と鋼製ブラケット６０との固定度は、地震時に、鋼製仕口部材３０と鋼製ブラケット６０との接合部に作用する曲げモーメントに応じて適宜変更であり、例えば、鋼製ブラケット６０と木質梁５０の梁端部５０Ｅの固定度と同じに設定しても良いし、当該固定度よりも高く設定しても良い。
【００９４】
また、鋼製仕口部材３０及び鋼製ブラケット６０の形状や構造は、上記したものに限らず、必要に応じて適宜変更可能である。
【００９５】
また、上記第一実施形態では、鋼製仕口部材３０に下側柱部材２２及び上側柱部材２４が接合されている。しかしながら、上側柱部材２４は、適宜省略可能である。
【００９６】
また、下側柱部材及び上側柱部材は、木造（木質柱）に限らず、例えば、鉄筋コンクリート造や鉄骨造であっても良い。また、仕口部を含む柱の全体が、鉄骨造であっても良い。この場合、鉄骨造の柱の鋼製仕口部に、鋼製ブラケットが圧着接合される。
【００９７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００９８】
１０    柱梁接合構造
２０    柱
３０    鋼製仕口部材（鋼製仕口部）
５０    木質梁
５０Ｅ  梁端部（木質梁の梁端部）
６０    鋼製ブラケット
８０    接合部材
８２    通しボルト（延出部材）
９０    弾性体
１２０  柱梁接合構造
１２２  緊張材（接合部材）
【図１】
2020133356.tif 000003
【図２】
2020133356.tif 000004
【図３】
2020133356.tif 000005
【図４】
2020133356.tif 000006
【図５】
2020133356.tif 000007
【図６】
2020133356.tif 000008
【図７】
2020133356.tif 000009
【図８】
2020133356.tif 000010
【図９】
2020133356.tif 000011